(57)【要約】【課題】本発明は、ドライバープレートの摺動子の弾性特性を十分に確保することができるとともに、ドライバープレートの外形寸法が小さい小形の可変抵抗器を提供することを目的とするものである。【解決手段】本発明の可変抵抗器は、ドライバープレート２６における貫通孔２８の外周側に位置して円形部３１と方形部３０とを連設して形成した鍵穴形状からなるドライバー挿入溝２９を設けた構成としたものである。これにより、摺動子の腕部の長さを長くすることができるとともに、ドライバープレートの外形寸法も小さくすることができる。【選択図】図１
2008028073.tif 000002
【特許請求の範囲】
【請求項１】
略中央に中空孔を有するとともに上面に抵抗体とこの抵抗体の両端に設けられた電極とを有する基板と、この基板の上面に回転可能に支持されかつ前記抵抗体上を摺動する接点部とこの接点部を支持する腕部とからなる摺動子を有するとともに略中央に貫通孔を設けたドライバープレートと、前記基板の中空孔と前記ドライバープレートの貫通孔に挿通されてドライバープレートを枢着する円筒部と前記基板の底面から一側面にわたって設けられた端子部とを有する中端子と、前記基板の上面で前記電極と電気的に接続されるとともに前記基板の側面から下面にわたって設けられた外端子とを備え、前記ドライバープレートにおける貫通孔の外周側に位置して円形部と方形部とを連設して形成した鍵穴形状からなるドライバー挿入溝を設けた可変抵抗器。
【請求項２】
ドライバープレートにおけるドライバー挿入溝の方形部をドライバープレートにおける摺動子の接点部と対向する側に設けた請求項１記載の可変抵抗器。
【請求項３】
ドライバープレートにおける摺動子の腕部を、貫通孔から見てドライバー挿入溝における方形部を設けた方向と略垂直の位置以上まで接点部から延出させた請求項１記載の可変抵抗器。
【発明の詳細な説明】
【技術分野】
【０００１】
本発明は、各種電子機器に用いられる可変抵抗器に関するものである。
【背景技術】
【０００２】
従来のこの種の可変抵抗器は、図８〜図１０に示すような構成を有していた。
【０００３】
図８は従来の可変抵抗器の側断面図、図９は同可変抵抗器におけるドライバープレートの上面図、図１０は同可変抵抗器におけるドライバープレートの側断面図である。
【０００４】
図８〜図１０において、１は直方体形状のセラミック等の絶縁材料からなる基板で、この基板１は略中央に中空孔２を有するとともに、上面に馬蹄形状の抵抗体（図示せず）を設けている。また、前記基板１の抵抗体（図示せず）の両端が位置する部分には電極（図示せず）を設けている。３は金属製のドライバープレートで、このドライバープレート３は前記基板１の上面に回転可能に支持されるとともに、側面に摺動子４を設けており、この摺動子４は、接点部５とこの接点部５を支持する腕部６とで構成されている。そして、前記摺動子４における接点部５は前記基板１の抵抗体（図示せず）上を摺動するものである。また前記ドライバープレート３は上面にマイナスドライバー挿入溝７および補助溝８を設け、さらに略中央には貫通孔９を設けている。１０は金属製の中端子で、この中端子１０は前記基板１に一体に成形されているとともに、孔１１を設けている。また、中端子１０は端子部１２を設けており、この端子部１２は前記基板１の側面から下方にわたって設けられている。１３は円筒部１４を有する取着部材で、この取着部材１３は円筒部１４を中端子１０に設けた孔１１およびドライバープレート３に設けた貫通孔９に挿通し、前記ドライバープレート３を回転可能に枢着している。１５は金属により構成された一対の外端子で、この外端子１５は前記基板１における中端子１０の端子部１２を設けた側と対向する側の側面から下面にわたって設けられるとともに、前記基板１の上面で前記電極（図示せず）と電気的に接続されている。
【０００５】
以上のように構成された従来の可変抵抗器について、次にその動作を説明する。
【０００６】
まず、一対の外端子１５の一方の定電圧を印加するとともに、他方を接地し、かつ中端子１０の端子部１２を外部回路（図示せず）に接続する。そしてドライバープレート６のマイナスドライバー挿入溝７に相手側マイナスドライバー（図示せず）を挿通して回転させることにより、中端子１０の電位を任意の抵抗値に設定するものである。
【０００７】
ここで、相手側プラスドライバー（図示せず）を使用して、中端子１０の電位を任意の抵抗値に設定する場合、従来の可変抵抗器においては、マイナスドライバー挿入溝７および補助溝８の両方に相手側プラスドライバー（図示せず）を挿通して回転させることにより、中端子１０の電位を任意の抵抗値に設定するようにしていた。
【０００８】
なお、この出願の発明に関する先行技術文献情報としては、例えば、特許文献１が知られている。
【特許文献１】実開昭６４−３３７０４号公報（実願昭６２−１２７８００号のマイクロフィルム）
【発明の開示】
【発明が解決しようとする課題】
【０００９】
しかしながら、上記した従来の構成においては、マイナスドライバー挿入溝７の存在により、摺動子４における腕部６の長さが短くなるため、摺動子４の弾性特性を十分に確保できないとともに、マイナスドライバー挿入溝７の長手方向の長さにより、ドライバープレート３の外形寸法が大きくなるように制限されるため、可変抵抗器の小形化が図れないという課題を有していた。
【００１０】
本発明は上記従来の課題を解決するもので、ドライバープレートの摺動子の弾性特性を十分に確保することができるとともに、ドライバープレートの外形寸法が小さい小形の可変抵抗器を提供することを目的とするものである。
【課題を解決するための手段】
【００１１】
上記目的を達成するために、本発明は以下の構成を有するものである。
【００１２】
本発明の請求項１に記載の発明は、略中央に中空孔を有するとともに上面に抵抗体とこの抵抗体の両端に設けられた電極とを有する基板と、この基板の上面に回転可能に支持されかつ前記抵抗体上を摺動する接点部とこの接点部を支持する腕部とからなる摺動子を有するとともに略中央に貫通孔を設けたドライバープレートと、前記基板の中空孔と前記ドライバープレートの貫通孔に挿通されてドライバープレートを枢着する円筒部と前記基板の底面から一側面にわたって設けられた端子部とを有する中端子と、前記基板の上面で前記電極と電気的に接続されるとともに前記基板の側面から下面にわたって設けられた外端子とを備え、前記ドライバープレートにおける貫通孔の外周側に位置して円形部と方形部とを連設して形成した鍵穴形状からなるドライバー挿入溝を設けたもので、この構成によれば、鍵穴形状からなるドライバー挿入溝に異形の特別ドライバーを嵌合させることにより、ドライバー挿入溝の外周が全体にわたって、異形の特別ドライバーの外周と密着するため、ドライバー挿入溝の面積を小さく設定することが可能となり、これにより、摺動子の腕部の長さを長くすることができるとともに、ドライバープレートの外形寸法も小さくすることができるという作用効果を有するものである。
【００１３】
本発明の請求項２に記載の発明は、特に、ドライバープレートにおけるドライバー挿入溝の方形部をドライバープレートにおける摺動子の接点部と対向する側に設けたもので、この構成によれば、ドライバープレートにおけるドライバー挿入溝の方形部をドライバープレートにおける摺動子の接点部と対向する側に設けているため、摺動子における接点部を支持する腕部を長く形成することが可能となり、これにより、ドライバープレートの摺動子の弾性特性を十分に確保することができるという作用効果を有するものである。
【００１４】
本発明の請求項３に記載の発明は、特に、ドライバープレートにおける摺動子の腕部を、貫通孔から見てドライバー挿入溝における方形部を設けた方向と略垂直の位置以上まで接点部から延出させたもので、この構成によれば、ドライバープレートにおける摺動子の腕部を、貫通孔から見てドライバー挿入溝における方形部を設けた方向と略垂直の位置以上まで接点部から延出させているため、摺動子における接点部を支持する腕部を長く形成することが可能となり、これにより、ドライバープレートの摺動子の弾性特性を十分に確保することができるという作用効果を有するものである。
【発明の効果】
【００１５】
以上のように本発明の可変抵抗器は、略中央に中空孔を有するとともに上面に抵抗体とこの抵抗体の両端に設けられた電極とを有する基板と、この基板の上面に回転可能に支持されかつ前記抵抗体上を摺動する接点部とこの接点部を支持する腕部とからなる摺動子を有するとともに略中央に貫通孔を設けたドライバープレートと、前記基板の中空孔と前記ドライバープレートの貫通孔に挿通されてドライバープレートを枢着する円筒部と前記基板の底面から一側面にわたって設けられた端子部とを有する中端子と、前記基板の上面で前記電極と電気的に接続されるとともに前記基板の側面から下面にわたって設けられた外端子とを備え、前記ドライバープレートにおける貫通孔の外周側に位置して円形部と方形部とを連設して形成した鍵穴形状からなるドライバー挿入溝を設けているため、鍵穴形状からなるドライバー挿入溝に異形の特別ドライバーを嵌合させることにより、ドライバー挿入溝の外周が全体にわたって、異形の特別ドライバーの外周と密着することになり、これにより、ドライバー挿入溝の面積を小さく設定することが可能となるため、摺動子の腕部の長さを長くすることができるとともに、ドライバープレートの外形寸法も小さくすることができ、これにより、ドライバープレートの摺動子の弾性特性を十分に確保することができるとともに、ドライバープレートの外形寸法が小さい小形の可変抵抗器を提供することができるという優れた効果を奏するものである。
【発明を実施するための最良の形態】
【００１６】
以下、本発明の一実施の形態における可変抵抗器について、図面を参照しながら説明する。
【００１７】
図１は本発明の一実施の形態における可変抵抗器の分解斜視図、図２は同可変抵抗器の斜視図、図３は同可変抵抗器の上面図、図４は同可変抵抗器の側断面図である。
【００１８】
図１〜図４において、２１は直方体形状のセラミック等からなる基板で、この基板２１は略中央に中空孔２２を有するとともに、上面に馬蹄形状の抵抗体２３を設け、かつこの抵抗体２３の両端には一対の電極２４を設けている。また、前記基板２１には前記電極２４の近傍に位置して前記基板２１の上面から下面にわたって一対の円筒形状の固着孔２５を設けている。２６は金属製のドライバープレートで、このドライバープレート２６は前記基板２１の上面に回転可能に支持されるとともに、側面に摺動子２７を設けており、かつこの摺動子２７は、接点部２７ａとこの接点部２７ａを支持する腕部２７ｂとで構成されている。また、前記摺動子２７における接点部２７ａは前記基板２１の抵抗体２３上を摺動するものである。そしてまた、前記ドライバープレート２６は、前記貫通孔２８の外周側に位置して鍵穴形状からなるドライバー挿入溝２９を設けており、かつこのドライバー挿入溝２９は前記摺動子２７における接点部２７ａと対向する側に設けられた方形部３０とこの方形部３０と連接して設けられた円形部３１とで構成されている。また、前記ドライバープレート２６における摺動子２７の腕部２７ｂは、貫通孔２８から見てドライバー挿入溝２９における方形部３０を設けた方向と略垂直の位置以上まで接点部２７ａから延出させているものである。
【００１９】
上記した本発明の一実施の形態においては、ドライバープレート２６におけるドライバー挿入溝２９の方形部３０をドライバープレート２６における摺動子２７の接点部２７ａと対向する側に設けているため、摺動子２７における接点部２７ａを支持する腕部２７ｂを長く形成することが可能となり、これにより、ドライバープレート２６の摺動子２７の弾性特性を十分に確保することができるという効果が得られるものである。
【００２０】
また、ドライバープレート２６における摺動子２７の腕部２７ｂを、貫通孔２８から見てドライバー挿入溝２９における方形部３０を設けた方向と略垂直の位置以上まで接点部２７ａから延出させているため、摺動子２７における接点部２７ａを支持する腕部２７ｂを長く形成することが可能となり、これにより、ドライバープレート２６の摺動子２７の弾性特性を十分に確保することができるという効果が得られるものである。
【００２１】
３２は金属製の中端子で、この中端子３２は一端部に円筒部３３を設けており、この円筒部３３を前記基板２１の中空孔２２とドライバープレート２６の貫通孔２８に挿通することにより、前記ドライバープレート２６を前記基板２１の上面に回転可能に枢着している。また、前記中端子３２の他端部には端子部３４を設けており、そしてこの端子部３４は前記基板２１の底面から一側面にわたって設けている。３５は金属により構成された一対の外端子で、この外端子３５は端子部３６を設けており、そしてこの端子部３６は図２に示すように、前記基板２１の上面で電極２４と電気的に接続するとともに、前記中端子３２の端子部３４が設けられた側と対向する側の基板２１の側面から下面にわたって設けている。また、前記外端子３５の一端には挿入部３７を設けており、そしてこの挿入部３７を前記基板２１の固着孔２５に下方から挿入するとともに端子部３６を折り曲げることにより、前記基板２１に外端子３５を固着している。
【００２２】
以上のように構成された本発明の一実施の形態における可変抵抗器について、次にその組立方法を図面を参照しながら説明する。
【００２３】
図５（ａ）〜（ｄ）および図６（ａ）、（ｂ）は本発明の一実施の形態における可変抵抗器の組立状態を示す分解斜視図である。
【００２４】
まず、図５（ａ）に示すように、予め上面に馬蹄形状の抵抗体２３を印刷するとともに、この抵抗体２３の両端に一対の電極２４を印刷した基板２１を、焼付炉３８内に入れて通過させることにより、抵抗体２３と電極２４とを基板２１に焼き付ける。
【００２５】
次に、図５（ｂ）に示すように、抵抗体２３と電極２４とを焼き付けた基板２１を、中端子３２と外端子３５とを固着したフープ３９の上方に準備する。
【００２６】
次に、図５（ｃ）に示すように、フープ３９の上方から、中端子３２の円筒部３３に基板２１の中空孔２２が嵌合するとともに、外端子３５の挿入部３７と基板２１の固着孔２５とが嵌合するように基板２１を載置する。
【００２７】
次に、図５（ｄ）に示すように、外端子３５における端子部３６を基板２１の上面と側面の稜線で折り曲げ、基板２１と外端子３５とを半田付け（図示せず）により固着する。
【００２８】
次に、図６（ａ）に示すように、外端子３５を固着した基板２１の上方から、中端子３２の円筒部３３にドライバープレート２６の貫通孔２８が嵌合するようにドライバープレート２６を載置する。
【００２９】
次に、図６（ｂ）に示すように、中端子３２の円筒部３３の先端部をかしめることにより、ドライバープレート２６を基板２１の上面に回転可能に枢着する。
【００３０】
以上のようにして構成された本発明の一実施の形態における可変抵抗器について、次にその動作を説明する。
【００３１】
まず、一対の外端子３５の一方に定電圧を印加するとともに、他方を接地し、かつ中端子３２の端子部３４を外部回路（図示せず）に接続する。そして、図７に示すように、ドライバープレート２６のドライバー挿入溝２９に異形の相手側ドライバー４０を挿通して回転させることにより、中端子３２の電位を任意の抵抗値に設定するものである。
【００３２】
そして、本発明の一実施の形態における可変抵抗器においては、図７に示すように、ドライバープレート２６における貫通孔２８の外周側に位置して円形部３１と方形部３０とを連設して形成した鍵穴形状からなるドライバー挿入溝２９を設けているため、鍵穴形状からなるドライバー挿入溝２９に異形の特別ドライバー４０を嵌合させることにより、ドライバー挿入溝２９の外周が全体にわたって、異形の特別ドライバー４０の外周と密着することになり、これにより、ドライバー挿入溝２９の面積を小さく設定することが可能となるため、摺動子２７の腕部２７ｂの長さを長くすることができるとともに、ドライバープレート２６の外形寸法も小さくすることができるという効果が得られるものである。
【産業上の利用可能性】
【００３３】
本発明に係る可変抵抗器は、ドライバープレートの摺動子の弾性特性を十分に確保することができるとともに、ドライバープレートの外形寸法が小さい小形の可変抵抗器を提供することができるという効果を有するものであり、各種電子機器に用いられる可変抵抗器等として有用となるものである。
【図面の簡単な説明】
【００３４】
【図１】本発明の一実施の形態における可変抵抗器の分解斜視図
【図２】同可変抵抗器の斜視図
【図３】同可変抵抗器の上面図
【図４】同可変抵抗器の側断面図
【図５】（ａ）〜（ｄ）同可変抵抗器の組立状態を示す斜視図
【図６】（ａ）、（ｂ）同可変抵抗器の組立状態を示す斜視図
【図７】同可変抵抗器の動作状態を示す斜視図
【図８】従来の可変抵抗器の側断面図
【図９】同可変抵抗器におけるドライバープレートの上面図
【図１０】同可変抵抗器におけるドライバープレートの側断面図
【符号の説明】
【００３５】
２１  基板
２２  中空孔
２３  抵抗体
２４  電極
２５  固着孔
２６  ドライバープレート
２７  摺動子
２７ａ  接点部
２７ｂ  腕部
２８  貫通孔
２９  ドライバー挿入溝
３０  方形部
３１  円形部
３２  中端子
３３  円筒部
３４  端子部
３５  外端子
３６  端子部
３７  挿入部
【図１】
2008028073.tif 000003
【図２】
2008028073.tif 000004
【図３】
2008028073.tif 000005
【図４】
2008028073.tif 000006
【図５】
2008028073.tif 000007
【図６】
2008028073.tif 000008
【図７】
2008028073.tif 000009
【図８】
2008028073.tif 000010
【図９】
2008028073.tif 000011
【図１０】
2008028073.tif 000012